(57)【要約】      （修正有）【課題】吸上芯の下端がタンク内に残存する液化ガスの上方に露出してきても、きわめて簡単な機構で効果的に液化ガスの吸上・吸収を可能とし、液化ガスが残存するにもかかわらず、着火ができなくなるような不都合を解消せんとするガス着火具を提供する。【解決手段】着火具本体１内に、バーナー弁４を組み込んだ燃料タンク３、バーナー弁４の弁開閉及び着火機構を備えたガス着火具において、バーナー弁４に連結された多孔質の吸上芯に、液化ガスを吸上・吸収することができる多孔質の円筒体を吸上芯に沿って移動自在に遊挿し、円筒体で吸上・吸収した液化ガスを吸上芯に移転させるようにする。【選択図】図１
0003193992.tif 000002
【実用新案登録請求の範囲】
【請求項１】
着火具本体内に、バーナー弁を組み込んだ燃料タンク、バーナー弁の弁開閉及び着火機構を備えたガス着火具において、バーナー弁に連結された多孔質の吸上芯に、液化ガスを吸上・吸収することができる多孔質の円筒体を吸上芯に沿って移動自在に遊挿し、円筒体で吸上・吸収した液化ガスを吸上芯に移転させるようにしたことを特徴とするガス着火具。
【請求項２】
円筒体が、柔軟性を有する多孔質物質からなることを特徴とする請求項１記載のガス着火具。
【請求項３】
円筒体が、剛性の多孔質物質からなることを特徴とする請求項１記載のガス着火具。
【考案の詳細な説明】
【技術分野】
【０００１】
本考案は、燃料貯蔵部から弁機構部を介し噴出ノズル先端から噴出されるガスに着火して使用するガスライターにおいて、燃料貯蔵タンク内に残存する液化ガスを余すことなく点火ノズルへと供給することができる構造に関するものである。
【背景技術】
【０００２】
従来、液化ガスを貯蔵するタンクと該タンクから燃料用の液化ガスを吸い上げて気化し、炎を形成するバーナーノズル及びバーナーノズルから噴出する気化したガスに着火用の火花を供給する点火手段を備えたガス着火具は公知であり、家庭用ガスコンロの点火具やタバコ点火用ガスライターとして広く利用されている。
【０００３】
液化ガスを貯蔵するタンクは、通常合成樹脂或は金属からなる耐圧性の容器であり、タンクの上部にバーナーノズルが取り付けられ、該バーナーノズルから下方に延び出す吸上芯でタンク内の液化ガスを吸い上げてバーナーノズルで気化しつつノズル先端から気化ガスを噴出させ、点火手段で点火して炎を作出している。
【０００４】
液化ガスを吸い上げる吸上芯は、多孔質の芯部材、例えばポリエチレン焼結体、ポリプロピレン焼結体等の棒状材料からなり、比較的折損し易いため、タンクの内寸法よりも短い寸法で構成され、吸上芯の下端は、タンクの内底面には到達しておらず、内底面から若干上方に離れて終端している。
【０００５】
吸上芯の下端が、タンクの内底面に到達していないため、タンク内の液化ガスの残量が少なくなり、吸上芯が液化ガスから露出してくると、最早液化ガスの吸い上げが困難となり、液化ガスがタンクに残っているにもかかわらず、着火ができず、炎を作出することが不能となっていた。
【先行技術文献】
【特許文献】
【０００６】
【特許文献１】特開２００６−１３２７８７号公報
【考案の概要】
【考案が解決しようとする課題】
【０００７】
この考案は、吸上芯の下端が燃料タンク内に残存する液化ガスの上方に露出してきても、きわめて簡単な機構で効果的に液化ガスの吸上・吸収を可能とし、液化ガスが残存するにもかかわらず、着火ができなくなるような不都合を解消せんとするものである。
【課題を解決するための手段】
【０００８】
上記課題を解決するために、この考案がとった手段は、バーナー弁に連結された多孔質の吸上芯に、液化ガスを吸上・吸収することができる多孔質の円筒体を吸上芯に沿って移動自在に遊挿し、円筒体と吸上芯の接触により円筒体で吸上・吸収した液化ガスを吸上芯に移転させるようにしたことを特徴とする。
【０００９】
円筒体は、剛体若しくは可撓体或は柔軟体のいずれであっても良い。
【考案の効果】
【００１０】
この考案によれば、燃料タンク内の残存液化ガスが少量となり、吸上芯が液化ガスと非接触の状態となっても、吸上芯に挿着された円筒体が、少量の残存した液化ガスに浸漬し、液化ガスを吸上・吸収して吸上芯に移転することができるため、タンク内にまだ液化ガスが残存しているにもかかわらず、着火不能となっていた従来のガス着火具の不具合を解消することができる。
【図面の簡単な説明】
【００１１】
【図１】この考案を適用したガス着火具の縦断面図（(ａ)消火時の状態、(ｂ)着火時の状態）
【図２】燃料タンクの構造を詳細に示す縦断面図
【図３】吸上芯と遊挿された円筒体の斜視図
【図４】円筒体の斜視図
【考案を実施するための形態】
【００１２】
この考案の好ましい実施の形態を、以下に詳細に説明する。図１を参照して、(１)は着火具本体であって、ガスコンロ、ろうそく、ガスストーブ等に着火するのに適した長い点火枝管(２)を備えており、図１(ｂ)に示すように点火枝管(２)の先端から、着火のための炎が作出される。尚、図示の実施例は、ガスコンロ、ろうそく、ガスストーブを着火するに適した構造としてあるが、タバコを点火するためのガスライターのような点火具であっても良いことはもちろんである。
【００１３】
着火具本体(１)内には、バーナー弁(４)を組み込んだ燃料タンク(３)、圧電発生器(５)、バーナー弁の弁開閉と圧電発生器を作動する操作ボタン(６)等の着火機構が組み込まれている。尚、この考案は、圧電発生器を有していない点火具、例えば発火ヤスリ、発火石からなる着火機構を備えた点火具にも同様に適用可能であり、着火手段は限定されない。
【００１４】
前記点火枝管(２)の先端開口(７)に近接して、点火ノズル(８)が配置され、燃料パイプ(９)で前記バーナー弁(４)に連結される。又、点火ノズルの先端近傍に配置された金属製コイル(10)と、点火ノズル(８)とは、その間で点火火花が形成されるように、前記圧電発生器(５)にリード線(11)で接続されている。
【００１５】
操作ボタン(６)は、着火具本体(１)の外方から指を挿入して、距離(Ｌ)だけ押し下げることが可能である。操作ボタン(６)の押下により、バーナー弁(４)を開閉するテコ部材(12)が作動され、バーナー弁(４)を開弁するとともに、圧電発生器(５)を作動して、圧電気を発生させる。バーナー弁(４)の開弁により気化したガスが燃料パイプ(９)で点火ノズル(８)に導かれるとともに、発生した圧電気が、リード線(11)で金属製コイル(10)と点火ノズル(８)との間に導かれ、点火火花が発生し、気化ガスが点火されて、先端開口(７)から炎(13)が作出される。
【００１６】
図２〜４を参照して、プラスチック、金属等の耐圧性容器からなる燃料タンクの上壁にバーナー弁(４)が気密を保持して装着される。その側部には、前記圧電発生器(５)を装着するための凹部(14)が設けられる。バーナー弁(４)からは、燃料タンク(３)内に向って吸上芯(15)が延び出している。吸上芯(15)は、タンクの底面から若干上方で終端している。
【００１７】
吸上芯(15)は、例えば、高密度ポリエチレン（ＨＤＰＥ）や、ポリプロピレン等を焼結した多孔質の棒状材料からなり、燃料タンク(３)内に貯蔵されている液化ガスに浸漬され、液化ガスを吸上・吸収してバーナー弁(４)に移送する。吸上芯(15)は、ほぼ直線上に伸びる１本の棒状体であり、折損しやすいため、吸上芯(15)は、燃料タンク(３)の底面から離れて終端する長さに形成されている。
【００１８】
従来、燃料タンク(３)の底部に残存する液化ガスが少なくなると、吸上芯(15)は、液化ガスに非浸漬の状態となるため、タンク底部に残存した少量の液化ガスの吸上ができなかった。そこで、この考案は、吸上芯(15)に多孔質の円筒体(16)を芯に沿って上下に移動自在に挿着し、該円筒体(16)をタンク底部に残存した液化ガスに浸漬して、液化ガスの吸上・吸収を行う。円筒体(16)で吸上・吸収された液化ガスは、円筒体(16)と吸上芯(15)との接触により吸上芯(15)に移転し、バーナー弁(４)への供給を可能とする。
【００１９】
多孔質の円筒体(16)は、スポンジのような柔軟な材料、吸上芯のような合成樹脂の焼結体からなる剛性の材料のいずれであっても良い。又、可撓性を有していても、或は、剛性であっても良い。
【００２０】
円筒体(16)は吸上芯(15)の外周を自由に移動することができる内径を有しているが、吸上芯との容易な接触をもたらす内径であることが好ましい。
【００２１】
図示の実施例は、ガスコンロ、ろうそく、ガスストーブ等の燃焼器具の点火を行うのに適するように、長尺の点火枝管(２)を備えた構造となっているが、この考案は、かかるガス着火具に限られるものではなく、長尺の点火枝管を必要としない、喫煙用ガスライターの構造としても利用可能であることはもちろんである。
【符号の説明】
【００２２】
(１)着火具本体
(２)点火枝管
(３)燃料タンク
(４)バーナー弁
(５)圧電発生器
(６)操作ボタン
(７)先端開口
(８)点火ノズル
(９)燃料パイプ
(10)金属製コイル
(11)リード線
(12)テコ部材
(13)炎
(14)凹部
(15)吸上芯
(16)円筒体
【図１】
0003193992.tif 000003
【図２】
0003193992.tif 000004
【図３】
0003193992.tif 000005
【図４】
0003193992.tif 000006